(57)【要約】【課題】異なる種類のカードを使用する際にカードが電気的に破壊されることや電子機器が誤作動を起こすことを回避する。【解決手段】相互に共通する相対的位置関係で配列された複数の端子を有する複数の種類のカードの各々が挿抜自在に収容されるカードコネクタである。カードコネクタは、収容された各カードの端子とそれぞれ接触する複数の接触子と、収容された各カードを識別するためのカード識別スイッチとを備え、カード識別スイッチが、収容された各カードの外形の相違に応じてオン・オフの切り換えを行い、そのオン・オフの組み合わせにより収容された各カードを識別する。【選択図】図１
2014099314.tif 000002
【特許請求の範囲】
【請求項１】
相互に共通する相対的位置関係で配列された複数の端子を有する複数の種類のカードの各々が挿抜自在に収容されるカードコネクタであって、
収容された各カードの端子とそれぞれ接触する複数の接触子と、
前記収容された各カードを識別するためのカード識別スイッチとを備え、
当該カード識別スイッチが、収容された各カードの外形の相違に応じてオン・オフの切り換えを行い、そのオン・オフの組み合わせにより前記収容された各カードを識別することを特徴とするカードコネクタ。
【請求項２】
前記カード識別スイッチが、前記収容された各カードの挿入方向の先端部の停止位置の相違に応じてオン・オフの切り換えを行うことを特徴とする請求項１に記載のカードコネクタ。
【請求項３】
前記カード識別スイッチが、可動接触子、第１の固定端子および第２の固定端子を備え、前記可動接触子が、前記複数の種類のカードのどのカードも前記カードコネクタに収容されていないときには第１の位置にあり、前記カードのどれかが収容されたときには、前記収容された各カードの挿入方向の先端部の停止位置の相違に応じて、前記可動接触子が、第２の位置または第３の位置に移動し、前記第１の位置、第２の位置または第３の位置が、それぞれ、前記カードが挿入されていない状態、比較的小さめの寸法のカードが挿入されている状態および比較的大きめの寸法のカードが挿入されている状態を表すことを特徴とする請求項１または請求項２に記載のカードコネクタ。
【請求項４】
前記カード識別スイッチが、可動接触子、第１の固定端子および第２の固定端子を備え、可動接触子と前記第１の固定端子とによって第１のスイッチが構成され、前記可動接触子と第２の固定端子とによって第２のスイッチが構成され、前記可動接触子が、前記複数の種類のカードのどのカードも前記カードコネクタに収容されていないときには、前記第１の位置にあって前記第１のスイッチがオンで前記第２のスイッチがオフになっており、前記カードのどれかが収容されたときには、前記収容された各カードの挿入方向の先端部の停止位置の相違に応じて、前記可動接触子が、第２の位置または第３の位置に動かされ、第２の位置では、前記第１のスイッチがオフで前記第２のスイッチもオフになっており、第３の位置では、前記第１のスイッチがオフで前記第２のスイッチがオンになっており、前記第１のスイッチがオンで前記第２のスイッチがオフのとき、前記第１のスイッチがオフで前記第２のスイッチもオフのとき、および前記第１のスイッチがオフで前記第２のスイッチがオンのときが、それぞれ、前記カードが挿入されていない状態、比較的大きめの寸法のカードが挿入されたこと、比較的小さめの寸法のカードが挿入されたことを表すことを特徴とする請求項１から請求項３のいずれか１項に記載のカードコネクタ。
【請求項５】
前記収容された各カードは、各カードの寸法の相違に応じて所定のトレーに格納されていて、前記収容された各カードの寸法の相違が補完され、これにより、前記収容された各カードの端子が、前記カードコネクタの接触子と適切な位置で接触することを特徴とする請求項１から請求項４のいずれか１項に記載のカードコネクタ。
【発明の詳細な説明】
【技術分野】
【０００１】
本発明は、異なる種類のカードで共用可能なカードコネクタに関する。
【背景技術】
【０００２】
マイクロＳＤカードのようなメモリカードや、ＳＩＭカードのようなＩＣカード（以下、「カード」と総称する）から電子機器に内蔵された基板の回路に対してデータを読み書きするために、カードを装着するカードコネクタが普及している。カードコネクタは、例えば電子機器の基板に取り付けられている。
【０００３】
この種のカードコネクタは、カードと基板の回路とを電気的に接続するための接触子を備えていて、カードが装着されると、カードコネクタの接触子は、カードの端子と基板の回路とを電気的に接続する。
【０００４】
従来、小型ＵＩＭに、この小型ＵＩＭを装着すると閉回路になる回路を設けて、利用者の無意識による装着方向を間違えた場合に導通状態が形成され、それにより、チップの電気的破壊、電子機器側の基板の回路の電気的破壊が引き起こされることを防止しているＵＩＭ用ＩＣカードが存在している（例えば、特許文献１参照）。
【先行技術文献】
【特許文献】
【０００５】
【特許文献１】特開２００６−１０７３００号公報
【発明の概要】
【発明が解決しようとする課題】
【０００６】
一方、カードには複数の種類があり、種類が異なるごとに端子の配列や個数が異なっているが、それらのカードの端子と接触する共通の接触子を備えることにより、複数のカードを装着することができるカードコネクタが考えられている。
【０００７】
従来の装置は、装着方向の誤りによる誤作動を防ぐことができるが、異なる種類のカードの誤装着による誤作動を防ぐことができない。また、従来の装置は、異なる種類のカードをカードコネクタに挿入する過程またはカードコネクタからカードを抜き取る過程において、カードの端子が、使用しないカードコネクタの接触子に接触し、カードが電気的に破壊されることや電子機器が誤作動を起こすことを防ぐことができない。
【０００８】
本発明は、このような課題を解決するためになされたもので、異なる種類のカードを使用する際にカードが電気的に破壊されることや電子機器が誤作動を起こすことを回避することができるカードコネクタを提供することを目的とする。
【課題を解決するための手段】
【０００９】
上記の目的を達成するために、本発明に係るカードコネクタは、相互に共通する相対的位置関係で配列された複数の端子を有する複数の種類のカードの各々が挿抜自在に収容されるカードコネクタであって、収容された各カードの端子とそれぞれ接触する複数の接触子と、前記収容された各カードを識別するためのカード識別スイッチとを備え、当該カード識別スイッチが、収容された各カードの外形の相違に応じてオン・オフの切り換えを行い、そのオン・オフの組み合わせにより前記収容された各カードを識別することを特徴とする。
【００１０】
本発明のこの構成により、本発明に係るカードコネクタは、相互に共通する相対的位置関係で配列された複数の端子を有する異なる種類のカードを使用する際にカードが電気的に破壊されることや電子機器が誤作動を起こすことを回避することができる。
【００１１】
本発明に係るカードコネクタは、前記カード識別スイッチが、前記収容された各カードの挿入方向の先端部の停止位置の相違に応じてオン・オフの切り換えを行うようにしてもよい。
【００１２】
本発明のこの構成により、本発明に係るカードコネクタは、簡易な構成によって、相互に共通する相対的位置関係で配列された複数の端子を有する異なる種類のカードを使用する際にカードが電気的に破壊されることや電子機器が誤作動を起こすことを回避することができる。
【００１３】
本発明に係るカードコネクタは、前記カード識別スイッチが、可動接触子、第１の固定端子および第２の固定端子を備え、前記可動接触子が、前記複数の種類のカードのどのカードも前記カードコネクタに収容されていないときには第１の位置にあり、前記カードのどれかが収容されたときには、前記収容された各カードの挿入方向の先端部の停止位置の相違に応じて、前記可動接触子が、第２の位置または第３の位置に移動し、前記第１の位置、第２の位置または第３の位置が、それぞれ、前記カードが挿入されていない状態、比較的小さめの寸法のカードが挿入されている状態および比較的大きめの寸法のカードが挿入されている状態を表すようにしてもよい。
【００１４】
本発明のこの構成により、本発明に係るカードコネクタは、安価な費用および簡易な構成によって、相互に共通する相対的位置関係で配列された複数の端子を有する異なる種類のカードを使用する際にカードが電気的に破壊されることや電子機器が誤作動を起こすことを回避することができる。
【００１５】
本発明に係るカードコネクタは、前記カード識別スイッチが、可動接触子、第１の固定端子および第２の固定端子を備え、可動接触子と前記第１の固定端子とによって第１のスイッチが構成され、前記可動接触子と第２の固定端子とによって第２のスイッチが構成され、前記可動接触子が、前記複数の種類のカードのどのカードも前記カードコネクタに収容されていないときには、前記第１の位置にあって前記第１のスイッチがオンで前記第２のスイッチがオフになっており、前記カードのどれかが収容されたときには、前記収容された各カードの挿入方向の先端部の停止位置の相違に応じて、前記可動接触子が、第２の位置または第３の位置に動かされ、第２の位置では、前記第１のスイッチがオフで前記第２のスイッチもオフになっており、第３の位置では、前記第１のスイッチがオフで前記第２のスイッチがオンになっており、前記第１のスイッチがオンで前記第２のスイッチがオフのとき、前記第１のスイッチがオフで前記第２のスイッチもオフのとき、および前記第１のスイッチがオフで前記第２のスイッチがオンのときが、それぞれ、前記カードが挿入されていない状態、比較的大きめの寸法のカードが挿入されたこと、比較的小さめの寸法のカードが挿入されたことを表すようにしてもよい。
【００１６】
本発明のこの構成により、本発明に係るカードコネクタは、安価な費用および簡易な構成によって、相互に共通する相対的位置関係で配列された複数の端子を有する異なる種類のカードを使用する際にカードが電気的に破壊されることや電子機器が誤作動を起こすことを回避することができる。
【００１７】
また、本発明に係るカードコネクタは、前記収容された各カードは、各カードの寸法の相違に応じて所定のトレーに格納されていて、前記収容された各カードの寸法の相違が補完され、これにより、前記収容された各カードの端子が、前記カードコネクタの接触子と適切な位置で接触できるようにする。
【００１８】
本発明のこの構成により、本発明に係るカードコネクタは、共用のため、相互に共通する相対的位置関係で配列された複数の端子を有する異なる種類のカードを使用する際にカードが電気的に破壊されることや電子機器が誤作動を起こすことを確実に回避することができる。
【発明の効果】
【００１９】
本発明によると、相互に共通する相対的位置関係で配列された複数の端子を有する異なる種類のカードを使用する際にカードが電気的に破壊されることや電子機器が誤作動を起こすことを回避することができるカードコネクタを提供することができる。
【図面の簡単な説明】
【００２０】
【図１】本発明の実施の形態に係るカードコネクタを示す図で、（ａ）は、斜視図、（ｂ）は、平面図である。
【図２】本発明の実施の形態に係るカードコネクタのカード識別スイッチを示す図であり、（ａ）は、カード識別スイッチの斜視図、（ｂ）は、カード識別スイッチの平面図、（ｃ）は、カード識別スイッチの可動接触子の平面図である。
【図３】本発明の実施の形態に係るカードコネクタに装着可能な異なる種類のカードの底面図であり、（ａ）は、マイクロＳＩＭカードの底面図、（ｂ）は、ナノＳＩＭカードの底面図である。
【図４】本発明の実施の形態に係るカードコネクタに異なる種類のカードを装着した構成を示す斜視図であり、（ａ）は、マイクロＳＩＭカードを装着した場合の構成を示す斜視図、（ｂ）は、ナノＳＩＭカードを装着した場合の構成を示す斜視図である。
【図５】図４に示すカードコネクタからトレーを取り除いた構成を示す斜視図であり、（ａ）は、マイクロＳＩＭカードを装着した状態を示す斜視図、（ｂ）は、ナノＳＩＭカードを装着した状態を示す斜視図である。
【図６】本発明の実施の形態に係るカードコネクタのカード識別スイッチの機能を説明するための簡略化した回路図である。
【図７】カードを装着していないときのカード識別スイッチの機能を説明するための本発明の実施の形態に係るカードコネクタの平面図である。
【図８】マイクロＳＩＭカードを装着し、トレーの図示を省略した状態で、カード識別スイッチの機能を説明するための本発明の実施の形態に係るカードコネクタの平面図である。
【図９】ナノＳＩＭカードを装着し、トレーの図示を省略した状態で、カード識別スイッチの機能を説明するための本発明の実施の形態に係るカードコネクタの平面図である。
【図１０】図９に示すようにナノＳＩＭカードを装着したカードコネクタから、ナノＳＩＭカードをカードコネクタから取り出すために装着位置から少し引き抜いたときの状態を説明するために、トレーの図示を省略した、本発明の実施の形態に係るカードコネクタの平面図である。
【発明を実施するための形態】
【００２１】
以下、本発明の実施の形態について、図面を参照しながら説明する。なお、本願明細書における「マイクロＳＩＭカード」、および、「ナノＳＩＭカード」とは、それぞれ、ＥＴＳＩ（欧州電気通信標準化機構）において、「ｍｉｎｉ−ＵＩＣＣ」、および、「４ＦＦ」の呼称で規定されているものである。
【００２２】
図１は、本発明の実施の形態に係るカードコネクタ１を示す図で、図１（ａ）は、斜視図で、図１（ｂ）は、平面図である。
【００２３】
カードコネクタ１は、詳しくは後述するように、カードの一面に形成された端子と接触するための接触子４１ａ等が形成されたカード保持面と、カードを装着する際の案内およびカードの保護のための一対の側面と、カードの挿入方向の先端部の位置を確定するための奥側の面とを備える。
【００２４】
カードコネクタ１を示す図１（ａ）の斜視図に向かって左下側にカードの挿入口が設けられている。そのカードの挿入口は一対の側面の手前側端部の間に形成されていて、その挿入口から、図１（ａ）に示す矢印の方向に沿って、カードの挿入および抜出が行われる。
【００２５】
カード保持面には、グループ４１の接触子４１ａ，４１ｂ，４１ｃ，４１ｄと、グループ４２の接触子４２ａ，４２ｂ，４２ｃ，４２ｄと、グループ４３の接触子４３ａ，４３ｂとが設けられている。
【００２６】
また、各接触子の対向した位置には実装部４１ａｍ等が設けられている。例えば、接触子４１ａ，４１ｂ，４１ｃ，４１ｄの対向した位置には、それぞれ、実装部４１ａｍ，４１ｂｍ，４１ｃｍ，４１ｄｍが設けられている。
【００２７】
実装部４１ａｍ等は、対向した位置にある各接触子４１ａ等とともに、例えば薄板を打ち抜き形成により作られ、図示せぬ電子機器の基板の回路にはんだ付けされている。これにより、各接触子４１ａ等は、実装部４１ａｍ等を経由して基板の所定の回路に電気的に接続される。
【００２８】
各接触子４１ａ等は、図１（ａ）に示すように、カードコネクタ１の底面から持ち上がっていて、後述するカード１０またはカード２０（図３）の底面に設けられている端子と接触する。これにより、カードコネクタ１の各接触子を経由して、カードと基板の回路とが電気的に接続されることになる。
【００２９】
また、カードコネクタ１にカードが装着されたとき、カードの種類の相違に応じて、カードの挿入方向の先端部の停止位置が異なっている。このため、カードコネクタ１の奥側の面に、カード識別スイッチ３０が設けられている。
【００３０】
カード識別スイッチ３０は、カードが装着されたときに、カードの挿入方向の先端部の停止位置を検出し、その停止位置の相違に基づいて、カードの相違を識別するためのものである。このとき、停止位置の相違とカードの種類とを予め関連付けることにより、停止位置の相違に基づいてカードの種類の判別を行うようにしてもよい。
【００３１】
カード識別スイッチ３０は、可動接触子３１、第１の固定端子３２および第２の固定端子３３を備える。詳しくは後述する通り、可動接触子３１と第１の固定端子３２とによって１つのスイッチが構成され、可動接触子３１と第２の固定端子３３とによって別の１つのスイッチが構成されている。
【００３２】
カードが装着されると、まず、カードの挿入方向の先端部は、可動接触子３１の位置検知部３１ｐに接触する。次に、カードの種類の相違によりカードの挿入方向の先端部の停止位置が異なるため、カードの種類の相違に応じて、カードの挿入方向の先端部が、図１（ｂ）において、位置検知部３１ｐをカードコネクタ１の奥側の面に向かって異なる停止位置まで移動させる。
【００３３】
位置検知部３１ｐの移動に伴って可動接触子３１が移動し、その移動距離に応じて、可動接触子３１と第１の固定端子３２とによって構成される１つのスイッチがオンまたはオフになり、さらに、可動接触子３１と第２の固定端子３３とによって構成される別の１つのスイッチがオンまたはオフになる。これらのスイッチのオン・オフの組み合わせによって、カードの相違や種類が認識される。
【００３４】
図２を参照しながら、カード識別スイッチ３０を詳説する。カード識別スイッチ３０は、可動接触子３１と第１の固定端子３２と第２の固定端子３３とを備える。
【００３５】
可動接触子３１は接点３１ｃ１を有し、第１の固定端子３２は接点３２ｃ１を有する。接点３１ｃ１と接点３２ｃ１とによってスイッチＳＷ１が構成されている。スイッチＳＷ１の位置を明確にするため、スイッチＳＷ１を構成する接点を図２（ｂ）において円で囲んでいる。
【００３６】
また、可動接触子３１は接点３１ｃ２を有し、第２の固定端子３３は接点３３ｃ２を有する。接点３１ｃ２と接点３３ｃ２とによってスイッチＳＷ２が構成されている。スイッチＳＷ２の位置を明確にするため、スイッチＳＷ２を構成する接点を図２（ｂ）において円で囲んでいる。
【００３７】
可動接触子３１は、直線形状の支持部がカードコネクタ１の奥側の面に固定されており、その固定された部分を支点に、位置検知部３１ｐが図２（ｂ）を示す紙面に沿って上下方向に動き、その動きに応じて、スイッチＳＷ１およびスイッチＳＷ２のオン・オフが形成される。
【００３８】
カード識別スイッチ３０は、カードがカードコネクタに挿入されていないような通常の状態では、スイッチＳＷ１は、可動接触子３１の接点３１ｃ１が、第１の固定端子３２の接点３２ｃ１と接触して、オン状態を形成している。一方、スイッチＳＷ２は、可動接触子３１の接点３１ｃ２が第２の固定端子３３の接点３３ｃ２から離れていて、オフ状態を形成している。
【００３９】
そのような状態から、位置検知部３１ｐが、図２（ｂ）の紙面に沿って少し上方に移動すると、スイッチＳＷ１は、可動接触子３１の接点３１ｃ１が、第１の固定端子３２の接点３２ｃ１から離れることによりオフ状態になる。一方、スイッチＳＷ２は、可動接触子３１の接点３１ｃ２が第２の固定端子３３の接点３３ｃ２に接近するが離れたままのときには、オフ状態を維持する。
【００４０】
さらに位置検知部３１ｐが、図２（ｂ）の紙面に沿って上方に移動すると、スイッチＳＷ１は、可動接触子３１の接点３１ｃ１が、第１の固定端子３２の接点３２ｃ１からさらに離れることになるため、オフ状態を維持する。スイッチＳＷ２は、可動接触子３１の接点３１ｃ２が第２の固定端子３３の接点３３ｃ２に接触することになるので、オン状態になる。
【００４１】
上記のとおり、カード識別スイッチ３０は、スイッチＳＷ１およびスイッチＳＷ２のオン・オフの組み合わせにより、次のように３状態を形成するスイッチとして機能する。
【００４２】
第１の状態は、カードがカードコネクタに挿入されていないような通常の状態、つまり、スイッチＳＷ１がオンで、スイッチＳＷ２がオフのときである。
【００４３】
第２の状態は、位置検知部３１ｐが比較的小さく移動した場合で、スイッチＳＷ１がオフで、スイッチＳＷ２がオフのときである。
【００４４】
第３の状態は、位置検知部３１ｐが比較的大きく移動した場合で、スイッチＳＷ１がオフで、スイッチＳＷ２がオンのときである。
【００４５】
図３は、マイクロＳＩＭカード１０およびナノＳＩＭカード２０の底面図である。図３に矢印で示す方向に沿って、それらのカードはカードコネクタ１の挿入口に挿入される。
【００４６】
図３（ａ）に示すように、マイクロＳＩＭカード１０の底面には、端子１１ａ，１１ｂ，１１ｃ，１１ｄの行と、端子１２ａ，１２ｂ，１２ｃ，１２ｄの行とが設けられている。これらの端子は、マイクロＳＩＭカード１０内の所定の回路と電気的に接続されている。
【００４７】
また、図３（ｂ）に示すように、ナノＳＩＭカード２０の底面には、例えば、端子２１ａ，２１ｂ，２１ｃの行と、端子２２ａ，２２ｂ，２２ｃの行と、端子２３ａ，２３ｂの行とが設けられている。これらの端子は、マイクロＳＩＭカード１０内の所定の回路と電気的に接続されている。
【００４８】
図３に示すマイクロＳＩＭカード１０およびナノＳＩＭカード２０の端子の個数や配列は一例であり、この図の例に限定されるものではない。
【００４９】
図３に示すように、マイクロＳＩＭカード１０の端子の配置の位置および個数は、ナノＳＩＭカード２０の端子の配置の位置および個数と異なっている。具体的には、マイクロＳＩＭカード１０の端子は２行４列並んでいるのに対し、ナノＳＩＭカード２０の端子は、３行３列並んでいるが２行２列目には設けられていない。
【００５０】
ただし、マイクロＳＩＭカード１０およびナノＳＩＭカード２０は、相互に共通する相対的位置関係で配列された複数の端子を有する。すなわち、マイクロＳＩＭカード１０の端子１１ａ，１１ｂ，１１ｃ，１２ａ，１２ｂ，１２ｃは、それぞれ、ナノＳＩＭカード２０の端子２１ａ，２１ｂ，２１ｃ，２２ａ，２２ｂ，２２ｃと相互に共通する相対的位置関係に配列されている。
【００５１】
次に、カードコネクタ１の接触子４１ａ等とマイクロＳＩＭカード１０の端子１１ａ等との配置の関係を説明する。
【００５２】
後述する図４（ａ）に示すように、マイクロＳＩＭカード１０をカードコネクタ１に装着すると、マイクロＳＩＭカード１０の端子１１ａ，１１ｂ，１１ｃ，１１ｄは、それぞれ、カードコネクタ１の接触子４１ａ，４１ｂ，４１ｃ，４１ｄと接触することになる。
【００５３】
また、マイクロＳＩＭカード１０をカードコネクタ１に装着すると、マイクロＳＩＭカード１０の端子１２ａ，１２ｂ，１２ｃ，１２ｄは、それぞれ、カードコネクタ１の接触子４２ａ，４２ｂ，４２ｃ，４２ｄと接触することになる。
【００５４】
一方、マイクロＳＩＭカード１０には、カードコネクタ１の接触子４３ａ，４３ｂに対応する端子は設けられていない。このため、マイクロＳＩＭカード１０をカードコネクタ１に装着したときに、カードコネクタ１の接触子４３ａ，４３ｂはマイクロＳＩＭカード１０のどの端子とも接触せずまた機能しない。
【００５５】
次に、カードコネクタ１の接触子４１ａ等とナノＳＩＭカード２０の端子２１ａ等との配置の関係を説明する。後述する図４（ｂ）に示すように、ナノＳＩＭカード２０をカードコネクタ１に装着すると、ナノＳＩＭカード２０の端子２１ａ，２１ｂ，２１ｃは、それぞれ、カードコネクタ１の接触子４１ａ，４１ｂ，４１ｃと接触することになる。
【００５６】
また、ナノＳＩＭカード２０をカードコネクタ１に装着したときには、ナノＳＩＭカード２０の端子２２ａ，２２ｂ，２２ｃは、それぞれ、カードコネクタ１の接触子４２ａ，４２ｂ，４２ｃと接触することになる。
【００５７】
さらに、ナノＳＩＭカード２０をカードコネクタ１に装着したときには、ナノＳＩＭカード２０の端子２３ａ，２３ｂが、それぞれ、カードコネクタ１の接触子４３ａ，４３ｂと接触することになる。
【００５８】
一方、後述する図５（ｂ）に示すように、カードコネクタ１の接触子４１ｄ，４２ｄは、ナノＳＩＭカード２０のいずれの端子とも接触せずにナノＳＩＭカード２０からずれた位置で露出している。このため、カードコネクタ１の接触子４３ａ，４３ｂは、ナノＳＩＭカード２０をカードコネクタ１に装着したときには機能しない。
【００５９】
図４は、本発明の実施の形態に係るカードコネクタ１に、異なる種類のカード１０，２０をそれぞれ装着した構成を示す斜視図である。図４（ａ）は、トレーに格納したマイクロＳＩＭカード１０を装着した場合の構成を示す斜視図であり、図４（ｂ）はトレーに格納したナノＳＩＭカード２０を装着した場合の構成を示す斜視図である。
【００６０】
それらのカード１０，２０は、各寸法の相違を補完して、各カードの端子とカードコネクタの接触子とが適切な位置で接触するように、それぞれが所定のトレーに格納されている。
【００６１】
そのトレーに格納されたカード１０，２０は、図４において、それぞれのカードコネクタ１の左側の手前の挿入口から右側の奥に向かって挿入されている。
【００６２】
図５は、図４に示すカードコネクタ１からトレーの図示を省略した構成を示す。図５（ａ）に示すように、マイクロＳＩＭカード１０の挿入方向と直交する幅方向のマイクロＳＩＭカード１０の両側端面と、カードコネクタ１の両側の側面との間には狭い隙間があり、この隙間に図示を省略したトレーが介在している。
【００６３】
これに対し、図５（ｂ）に示すように、ナノＳＩＭカード２０の挿入方向と直交する幅方向のナノＳＩＭカード２０の一方の端部とカードコネクタ１の一方の側壁との間には、カードコネクタ１の接触子４１ｄ，４２ｄの１列が露出する空間が存在する。この空間には、図示を省略したトレーが介在している。
【００６４】
このように、カードの種類の相違に伴って、使用されるカードコネクタ１の接触子が相違することになる。
【００６５】
また、図５に示すように、マイクロＳＩＭカード１０およびナノＳＩＭカード２０の挿入方向と直交する方向の幅方向におけるそれらのカードの寸法の相違は、トレーによって調整されており、それにより、後述するように、カードコネクタ１の接触子とカードの端子とが適切な位置で接触することができるようになっている。
【００６６】
図６は、カード識別スイッチ３０と電子機器の基板の回路との電気的な接続関係を説明するための簡略化した回路図である。
【００６７】
図６に示すように、電源Ｐと接地端子との間には、カード識別スイッチ３０のスイッチＳＷ２を構成する可動接触子３１および第２の固定端子３３が直列に接続されている。このため、スイッチＳＷ２がオン状態になると、電源Ｐが接地端子に短絡されることになる。
【００６８】
また、電源Ｐと接地端子との間には、カード識別スイッチ３０のスイッチＳＷ１を構成する可動接触子３１および第１の固定端子３２が直列に接続されている。このため、スイッチＳＷ１がオン状態になると、電源Ｐが接地端子に短絡されることになる。
【００６９】
ただし、スイッチＳＷ１とスイッチＳＷ２とは、同時にオン状態になることはない。
【００７０】
スイッチＳＷ１とスイッチＳＷ２とを機能させることによって、カードをカードコネクタに装着しない通常の状態と、異なる２種類のカードを用いた時を識別する第２の状態および第３の状態を検知することができる。
【００７１】
ただし、スイッチＳＷ２は設けなくてもよい。スイッチＳＷ２を設けない場合には、カードをカードコネクタに装着しない通常の状態は検知せずに、カードを挿入したときに、カードの種類の相違を識別する第２の状態および第３の状態を検知することになる。
【００７２】
この場合、電源Ｐから第１の固定端子３２への配線は行わず、電源Ｐから第２の固定端子３３への配線のみを行えばよい。
【００７３】
また、電源Ｐは、アナログスイッチ５０の制御端子に接続されている。アナログスイッチ５０は、制御端子の入力値が高レベルのときにはオン状態になり、制御端子の入力値が低レベルのときにはオフ状態になるように機能する。
【００７４】
また、アナログスイッチ５０を経由して、電子機器制御用ＰＣ５２が、カードコネクタ１の接触子４３ｂに接続されている。アナログスイッチ５０がオンになると、アナログスイッチ５０を経由して、電子機器制御用ＰＣ５２とカードコネクタ１の接触子４３ｂとが電気的に接続され、アナログスイッチ５０がオフになると、電子機器制御用ＰＣ５２は、カードコネクタ１の接触子４３ｂから電気的に切り離されることになる。
【００７５】
上記の構成により、スイッチＳＷ１またはスイッチＳＷ２のどちらかがオンになると、電源Ｐが接地端子に短絡されるため、アナログスイッチ５０の制御端子の入力値は低レベルになる。これにより、アナログスイッチ５０はオフ状態になり、電子機器制御用ＰＣ５２は、カードコネクタ１の接触子４３ｂから電気的に切り離されることになる。
【００７６】
一方、スイッチＳＷ１およびスイッチＳＷ２の両方がオフになると、電源Ｐが接地端子から切り離されるため、アナログスイッチ５０の制御端子の入力値は高レベルになる。これにより、アナログスイッチ５０はオン状態になり、電子機器制御用ＰＣ５２とカードコネクタ１の接触子４３ｂとが電気的に接続される。
【００７７】
電源から第１の固定端子３２への配線をせずにスイッチＳＷ１を機能させない場合には、スイッチ２がオンになると、電源Ｐが接地端子に短絡されるため、アナログスイッチ５０の制御端子の入力値は低レベルになる。これにより、アナログスイッチ５０はオフ状態になり、電子機器制御用ＰＣ５２は、カードコネクタ１の接触子４３ｂから電気的に切り離されることになる。
【００７８】
一方、スイッチＳＷ２がオフになると、電源Ｐが接地端子から切り離されるため、アナログスイッチ５０の制御端子の入力値は高レベルになる。これにより、アナログスイッチ５０はオン状態になり、電子機器制御用ＰＣ５２とカードコネクタ１の接触子４３ｂとが電気的に接続される。
【００７９】
なお、図６には、電子機器制御用ＰＣ５２からカードコネクタ１の接触子４３ｂへの接続のみを図示しているが、電子機器制御用ＰＣ５２、アナログスイッチ５０およびカードコネクタ１の端子４３ａの接続を、電子機器制御用ＰＣ５２、アナログスイッチ５０およびカードコネクタ１の接触子４３ｂの接続に対して並回路となるように接続することによって、端子４３ａと電子機器制御用ＰＣ５２との電気的な接続のオン・オフを制御できるようにしてもよい。
【００８０】
次に、図７から図９を参照しながら、カード識別スイッチ３０の３状態が形成されるときに、カードコネクタ１において、カード１０，２０とカード識別スイッチ３０とがどのような関係にあるのかを説明する。
【００８１】
図７は、カード識別スイッチ３０の第１の状態を示す。図７に示すように、第１の状態では、マイクロＳＩＭカード１０またはナノＳＩＭカード２０のどちらもカードコネクタ１に装着されていない。
【００８２】
この状態では、可動接触子３１の位置検知部３１ｐが、最もカードコネクタ１の挿入口側に移動していて、スイッチＳＷ１がオンで、スイッチＳＷ２がオフになっている。
【００８３】
この状態では、スイッチＳＷ１がオンになっているため、図６に示す電源Ｐが接地端子に短絡されて、アナログスイッチ５０が非導通になっている。これにより、電子機器制御用ＰＣ５２は、カードコネクタ１の接触子４３ｂから電気的に離隔されている。
【００８４】
このため、マイクロＳＩＭカード１０またはナノＳＩＭカード２０のどちらかを挿入したときでも、その挿入の過程において、カードコネクタ１の接触子４３ｂと適切に電気的な接続が予定されていないカードの端子が、接触子４３ｂに誤接触したとしても、接触子４３ｂは機能していないため、カードが電気的に破壊されたり電子機器が誤作動したりすることはない。
【００８５】
図８は、カード識別スイッチ３０の第３の状態を示す。図８に示すように、第３の状態では、マイクロＳＩＭカード１０がカードコネクタ１に装着されている。マイクロＳＩＭカード１０はナノＳＩＭカード２０よりも比較的大きな寸法を有する。
【００８６】
図８に示す状態では、マイクロＳＩＭカード１０の端子１１ａ，１１ｂ，１１ｃ，１１ｄは、それぞれ、カードコネクタ１の接触子４１ａ，４１ｂ，４１ｃ，４１ｄと接触し、また、マイクロＳＩＭカード１０の端子１２ａ，１２ｂ，１２ｃ，１２ｄは、それぞれ、カードコネクタ１の接触子４２ａ，４２ｂ，４２ｃ，４２ｄと接触している。
【００８７】
一方、マイクロＳＩＭカード１０には、カードコネクタ１の接触子４３ａ，４３ｂに対応する端子は設けられていないため、カードコネクタ１の接触子４３ａ，４３ｂは、マイクロＳＩＭカード１０のどの端子にも接触していない。
【００８８】
また、カード識別スイッチ３０の可動接触子３１の位置検知部３１ｐが、マイクロＳＩＭカード１０の挿入方向の先端部によって、カードコネクタ１の奥側の面に向かって押されて比較的大きく移動している。
【００８９】
その位置検知部３１ｐが停止している位置が、第３の位置である。この位置では、スイッチＳＷ１がオフで、スイッチＳＷ２がオンになっている。
【００９０】
スイッチＳＷ２がオンになっているため、図６に示す回路図において、電源Ｐが接地端子に短絡され、アナログスイッチ５０が非導通になっている。これにより、電子機器制御用ＰＣ５２は、カードコネクタ１の接触子４３ｂから電気的に離隔されている。
【００９１】
このように接触子４３ｂは機能していないので、接触子４３ｂにご接触する状況が生じてもカードが電気的に破壊されたり電子機器が誤作動したりすることはない。
【００９２】
図９は、カード識別スイッチ３０の第２の状態を示す。第２の状態では、ナノＳＩＭカード２０がカードコネクタ１に装着されている。ナノＳＩＭカード２０の寸法はマイクロＳＩＭカード１０に比べると小さい。
【００９３】
図９に示す状態では、ナノＳＩＭカード２０の端子２１ａ，２１ｂ，２１ｃが、それぞれ、カードコネクタ１の接触子４１ａ，４１ｂ，４１ｃと接触し、また、ナノＳＩＭカード２０の端子２２ａ，２２ｂ，２２ｃが、それぞれ、カードコネクタ１の接触子４２ａ，４２ｂ，４２ｃと接触している。
【００９４】
さらに、第２の状態では、ナノＳＩＭカード２０の端子２３ａ，２３ｂが、それぞれ、カードコネクタ１の接触子４３ａ，４３ｂと接触している。
【００９５】
一方、ナノＳＩＭカード２０には、カードコネクタ１の接触子４１ｄ，４２ｄに対応する端子は設けられていないため、カードコネクタ１の接触子４１ｄ，４２ｄは、ナノＳＩＭカード２０のどの端子にも接触していない。
【００９６】
また、カード識別スイッチ３０の可動接触子３１の位置検知部３１ｐは、ナノＳＩＭカード２０の挿入方向の先端部によって、カードコネクタ１の奥側の面に向かって押されている。このときの位置検知部３１ｐの位置は、第２の位置で、ナノＳＩＭカード２０はマイクロＳＩＭカード１０よりも寸法が小さいため、マイクロＳＩＭカード１０を装着したときの位置検知部３１ｐの位置よりも、挿入口側に近い。
【００９７】
このため、スイッチＳＷ１はオフで、スイッチＳＷ２もオフになっている。
【００９８】
スイッチＳＷ１およびスイッチＳＷ２のどちらもオフになっているため、図６に示す電源Ｐが接地端子から電気的に切り離されていて、アナログスイッチ５０が導通状態になっている。これにより、電子機器制御用ＰＣ５２は、カードコネクタ１の接触子４３ｂと電気的に接続されている。
【００９９】
このため、ナノＳＩＭカード２０を装着した場合には、接触子４３ｂを適切に機能させることができる。
【０１００】
図１０は、図９のように、ナノＳＩＭカード２０をカードコネクタ１に適切に装着した後、ナノＳＩＭカード２０を取り出すためにカードコネクタ１から少し引き抜いた状態を示す。
【０１０１】
この状態では、ナノＳＩＭカード２０の各端子とカードコネクタ１の各接触子と電気的な接続は維持されている。
【０１０２】
一方、ナノＳＩＭカード２０が少し引き抜かれるのに伴い、このカードの奥側の先端部が、カードコネクタ１の挿入口側に後退したため、カード識別スイッチ３０の可動接触子３１の位置検知部３１ｐもそれに伴い後退している。
【０１０３】
この状態では、スイッチＳＷ１がオンで、スイッチＳＷ２がオフになっている。
【０１０４】
スイッチＳＷ１がオンになっているため、図６に示す電源Ｐが接地端子に短絡され、アナログスイッチ５０が非導通状態に切り換わっている。これにより、電子機器制御用ＰＣ５２は、カードコネクタ１の接触子４３ｂから電気的に離隔されている。
【０１０５】
このため、接触子４３ｂは、ナノＳＩＭカード２０の端子２３ｂと接触しているが、機能はしていない。これにより、ナノＳＩＭカード２０の取り出しが開始されると、ナノＳＩＭカード２０の端子２３ｂと接触している状態でも接触子４３ｂの機能が停止される。このため、確実に、ナノＳＩＭカード２０へのアクセスを防止することができ、カードの電気的破壊を防止することができる。
【０１０６】
さらに、この後、ナノＳＩＭカード２０がさらに引き抜かれる過程において、カードコネクタ１の接触子４３ｂが、例えば、ナノＳＩＭカード２０の端子２１ｃと接触しても、電子機器制御用ＰＣ５２とナノＳＩＭカード２０の端子２１ｃとは電気的に接続がされないため、電子機器に誤作動が生じることはない。
【０１０７】
このように、この実施の形態によると、カードコネクタ１にカードを挿入したり、カードコネクタ１からカードを抜きだしたりするときの過程において、カードの端子とカードコネクタ１の接触子との接触により、電子機器に誤作動を生じさせることを回避することができる。
【０１０８】
上記の実施の形態によると、カード識別スイッチ３０が、カードの奥行き方向の先端部の位置の相違に応じてカードの相違を識別して、カードコネクタ１の所定の接触子を機能しないようにするため、異なる種類のカードの誤装着による誤作動を簡易かつ確実に防ぐことができる。
【０１０９】
また、上記の実施の形態によると、カード識別スイッチ３０が、ナノＳＩＭカード２０の端子とカードコネクタ１の接触子とが接触している状態で、カードコネクタ１からナノＳＩＭカード２０を抜きだしたりすると、所定のカードコネクタ１の接触子と電子機器との機能が停止されるように設定されているため、ナノＳＩＭカード２０を抜きだしているときに、カードコネクタ１の接触子とナノＳＩＭカード２０の端子との誤接触を防ぐことができる。
【０１１０】
上記の実施の形態では、カード識別スイッチ３０を用いて、カードの奥行き方向の先端部の位置の相違に応じてカードの相違を識別した。カード識別スイッチ３０に代えて、光学的スイッチによりカードの奥行き方向の先端部の位置の相違に応じてカードの相違を識別するようにしてもよい。
【０１１１】
また、上記の実施の形態では、カード識別スイッチ３０によって、カードの奥行き方向の先端部の位置の相違を検知するようにした。これに代えて、カードの幅方向の寸法の相違やカードの幅方向の端部の位置の相違を検知するようにしてもよい。
【０１１２】
本発明によると、異なる種類のカードを使用する際に、装着されたカードの端部の位置の相違を検知することによってカードの種類の相違を識別するようにしたことから、カードの端子とカードコネクタの接触子との誤接触により、カードが電気的に破壊されることや電子機器が誤作動を起こすことを回避することのできるカードコネクタを提供することができる。
【符号の説明】
【０１１３】
１  カードコネクタ
１０  マイクロＳＩＭカード
１１ａ，１１ｂ，１１ｃ，１１ｄ  端子
１２ａ，１２ｂ，１２ｃ，１２ｄ  端子
２０  ナノＳＩＭカード
２１ａ，２１ｂ，２１ｃ  端子
２２ａ，２２ｂ，２２ｃ  端子
２３ａ，２３ｂ  端子
３０  カード識別スイッチ
３１  可動接触子
３１ｃ１，３１ｃ２  接点
３１ｐ  位置検知部
３２ｃ１，３３ｃ２  接点
３２  第１の固定端子
３３  第２の固定端子
４１ａ，４１ｂ，４１ｃ，４１ｄ  接触子
４１ｄ，４２ｄ  接触子
４１ａｍ，４１ｂｍ，４１ｃｍ，４１ｄｍ  実装部
４２ａ，４２ｂ，４２ｃ，４２ｄ  接触子
４３ａ，４３ｂ  接触子
５０  アナログスイッチ
５２  電子機器制御用ＰＣ
【図１】
2014099314.tif 000003
【図２】
2014099314.tif 000004
【図３】
2014099314.tif 000005
【図４】
2014099314.tif 000006
【図５】
2014099314.tif 000007
【図６】
2014099314.tif 000008
【図７】
2014099314.tif 000009
【図８】
2014099314.tif 000010
【図９】
2014099314.tif 000011
【図１０】
2014099314.tif 000012